(57)【要約】【課題】人の手で借りないと排泄できない人が、おむつをしなくても、ベッドの上にそのまま腰掛けて簡単に排泄ができるようにした、使いやすい洗浄機能を備えたトイレ付介護用ベッドを提供する。【解決手段】ベッドの下方の両横に配設した、背上げ及び脚下げ作動装置２０乃至２２及び３０乃至３２でベッドを踏台のある椅子の形に変化させ、そして尻受部５のマット床面を他の動きに伴わせて陥没させた後に退避させ、中間部２のマット床面の一部を開口させ空洞にし、それから中間部２の下方に設置している洗浄機能付トイレ５０を後ろ下方から前上方に向け上昇させて、中間部２のマット床面の開口部分に嵌合させることを特徴とする。【選択図】図２
2006212377.tif 000002
【特許請求の範囲】
【請求項１】
背受部１、中間部２、下腿受部３、足載部４から成る椅子状に折り曲げ可能なマットを有するベッド体を構成し、中間部２の一部であって中間部２より分離して下降し、後に退避させて中間部２のマット床面の一部を開口させるようにする、この開口部分に相当する尻受部５と、これを退避させる開口装置６０を有し、そしてベッドの足載部４側を両横で前後に斜めになって支え且つ、上下又は押し引きしてベッド床面を脚下げ作動させる傾斜したベッド支持脚２０と、その作動装置２１、２２を有し、更に背受部１側のベッド床面の下方には背上げ用の起動部３１と、動力をベッドの左右の両横へ分けて伝達する装置３２を経て、背受部１側のベット床面を押し上げる軸３０を両横に配設して、又更に足載部４には、ベッドが椅子状に変化した時、身体の足の高さ位置を調節する、高さ調節器４０を垂設し、そして中間部２の下方に洗浄機能付トイレ５０とトイレ昇降装置５１、５２を設置している洗浄機能を備えたトイレ付介護用ベッドであって、ベット床面の下方の両横から前記の背上げ用の押し上げ軸３０又は脚下げ用の傾斜したベット支持脚２０を作動装置２１、２２と３１、３２にて上下又は押し引きさせて、ベッドを椅子状に変化させ且つ、このベッドの形状変更作動に伴って前記尻受部５のマット床面を下降させるか、或いはトイレの昇降装置５１、５２によるトイレ下降作動に伴って尻受部５のマット床面を下降させ、陥没させての後に、これを開口装置６０にてベッド床面の下方の背受部１の方向に向け退避させ、中間部２のマット床面の一部を開口させて空洞にし、中間部２の下方に設置している洗浄機能付トイレ５０を昇降装置５１、５２にて、後ろ下方より前上方に向け上昇させて、開口して空洞の生じた中間部２のマット床面に嵌合させることを特徴とする。
【発明の詳細な説明】
【技術分野】
【０００１】  本発明は、人の手を借りなければ排泄の不可能な人が、おむつをしなくてもベッドの上で排泄ができて、その後の洗浄もできるようにした洗浄機能を備えたトイレ付介護用ベッドに関するものである。
【背景技術】
【０００２】  現在、介護を受ける人たちの排泄は、おむつで処理したり、ポータブルトイレなどを使用したり、【０００３】  或いは、寝たまま排尿のできる自動排尿器などでなされている。【０００４】  そして又、ベッドの上で排泄のできるようにしたトイレ付介護用ベッドも多種多様ある。
【特許文献１】  ２０００−２２５１５２
【特許文献２】  ２０００−２７９４５４
【特許文献３】  ２００１−２１２１８６
【特許文献４】  ２００２−５２０４８
【発明の開示】
【発明が解決しようとする課題】
【０００５】  解決しようとする問題点は、従来より介護を受ける人の多くが、介護する側の都合などにより不本意ながらも、おむつで排便排尿を強いられており、排便したくても寝た状態では力が入らず又、おむつで出口を塞がれるため排便しにくく、その上身体に排泄物を付着させたままの状態になるので、身体に悪く不潔で不愉快な思いをされており、心身の健康、衛生両面に於いて、至って好ましくない。
また、ポータブルトイレなどを使うにしても、不自由な身体のため不便であり、動作に手間どるので間に合わず失禁することもある。【０００６】  この他にも自動排尿器などを使う場合もあるが、これは昔ながらの尿瓶を使う排尿処理とあまり差はなくて上品さに欠ける。【０００７】  そして又、既存の介護ベッドにも、ベッドを椅子状に変化させ且つ、排泄物出口に相当する尻受部のベッド床面を開口させて、そこにトイレを合体させる方式のトイレ付介護用ベッドも多種多様あるが、この多くが尻受部のマット床面の開口方法などがネックとなっていて、構成が複雑であるため、排泄しづらいとか、排泄漏れがあるとかで使いにくく、広く利用されるには、至っておらず、未だに多くがおむつに頼らざるを得ないのが現状である。【０００８】  これらの状況から排泄処理は、介護の分野では最も大きな問題であり、これからの高齢化社会を考えると早急に解決しなければならない社会問題である。
本発明は、より使いやすい、洗浄機能を備えたトイレ付介護用ベッドを提供し、そのままベッドに腰掛けて、簡単に排泄ができるようにすることで、おむつに頼る頻度を減らす目的でなされたものである。
【課題を解決するための手段】
【０００９】  背受部１、中間部２、下腿受部３、足載部４から成る椅子状に折れ曲げ可能なマットを有するベッド体を構成し、中間部２の一部であって中間部２より分離して下降し、後に退避させて中間部２のマット床面の一部を開口させるようにする、この開口部分に相当する尻受部５と、これを退避させる開口装置６０を設け、【００１０】  更に、ベッドの足載部４側を、両横で前後に斜めになって支え且つ、上下又は押し引きして、ベッド床面を脚下げ作動させる傾斜したベッド支持脚２０とその作動装置２１、２２を有し、【００１１】  又更に、背受部１側のベッド床面の下方には、背上げ用の起動部３１と動力をベッド左右の両横へ分けて伝達する装置３２を経て、背受部１側のベッド床面を押し上げる軸３０を両横に配設して、【００１２】  それから更に、足載部４にはベッドが椅子状に変化した時の身体の足位置を調節する、高さ調節器４０を垂設し、【００１３】  その上更に、中間部２の下方に洗浄機能付トイレ５０とトイレ昇降装置５１、５２、を設置している、洗浄機能を備えたトイレ付介護用ベッドであって、【００１４】  ベッド床面の下方の両横から前記の背上げ用の押上げ軸３０又は、脚下げ用の傾斜したベッド支持脚２０を作動装置２１、２２と３１、３２にて上下又は、押し引きさせて、ベッドを椅子状に変化させ【００１５】  且つ、このベッドの形状変更作動に伴って前記尻受部５のマット床面を下降させるか、【００１６】  或いは、中間部２の下方に設置している洗浄機能付トイレ５０の昇降装置５１、５２によるトイレ下降作動に伴って、尻受部５のマット床面を下降させ、陥没させての後に、【００１７】  尻受部５を尻受部開口装置６０にて、ベッド床面の下方の背受部１の方向に向けて退避させ、中間部２のマット床面の一部を開口させ、空洞にし【００１８】  それから洗浄機能付トイレ５０を昇降装置５１、５２にて後ろ下方より前上方に向けながら上昇させて、中間部２の開口して空洞となってる部分に嵌合させる。
【発明の効果】
【００１９】  本発明の洗浄機能を備えたトイレ付介護用ベッドは、スイッチ操作により、ベッドの形状を椅子状に変化させて、寝ている人はそのままベッドに腰掛けた状態で排泄とその後の洗浄ができるので、おむつも不要となり、排泄物の付着した匂いのするおむつが、身体に触れる不快さや、見られたくないものを他人に見られる恥ずかしさや、おむつで出口を塞がれ、排便しにくい状態のまま無理やり排便しなければなれない情けなさや、苦しさはなくなる。【００２０】  そして尿瓶を尿の出口にあてがうような感じのデリカシーに欠ける自動採尿器などを使う必要もなくなる。【００２１】  更に本発明は、既存のトイレ付介護用ベッドに比べ、構成がシンプルで取り扱いが簡単で寝ている人は、そのまま普通の椅子に座るようにしてベッドに腰掛けられて、膝を直角にも曲げられて、足も踏張れて体が安定し、普通のトイレに座るようにして排泄ができるので、排泄しやすく排泄漏れも少なくなる。【００２２】  又更には、ベッドに座った時、身体の足元が室内の床面に近い高さになるので、他の場所への移動が簡単にできる。【００２３】  それに排泄後には、洗浄ができるので紙で拭くより簡単で清潔であるので、入浴回数が少なくなる傾向の介護をうける人には有益である。【００２４】  これらのことから、おむつに頼る頻度は減り、介護される人の心身の健康、生活環境は至って良くなり、人としての尊厳を保ちつつ毎日を過ごせるようになるし、また介護する側の人の負担も格段に軽減されることになる。
【発明を実施するための最良の形態】
【００２５】  本発明の実施の形態を図面に基づいて説明する。
本発明は、ベッドを椅子状に形を変化させ、ベッドの尻受部５のマット床面を陥没させて開口させ、そこに洗浄機能付トイレ５０を上昇させて嵌合させ、寝ている人がベッドに座って排泄できるようにするものであり、【００２６】  マット体も背受部１、中間部２、下腿部３、足載部４からなり、そして中間部２の一部であって中間部２より分離する尻受部５を有する椅子状に折り曲げ可能なマットであって、このマット各部位と動きを共にするマット支持板枠６を有し、それにこれらを支えるベッド支持板枠７とベッド支持板脚８を有して、椅子状に折れ曲げ可能なベッド体を構成しているものであるが（図１乃至図３参照）【００２７】  本発明では、ベッドを椅子状に形状変更にするために、ベッド足載部４側の左右両横のベッド支持脚２０は前後に斜めになってベッドを支えると共に、ベッド床面の脚下げ作動をさせる役目も担っており、起動部２１と伝動装置２２を介してこの斜めのベッド支持脚２０を押し引きさせることにより足載部４側のベッド床面を左右両横から上下させ脚下げをする構成にしてある。（図１乃至図４参照）【００２８】  又それから背受部１側のベッド床面の下方には背上げ用の起動部３１と、動力をベッドの左右両横へ分けて伝達する装置３２を経て背受部１側のベッド床面を押し上げる軸３０を配設して、両横から押し上げてベッド床面の背上げ作動させる構成にしている。（図２乃至図５参照）【００２９】  又更に、足載部４のマット支持板枠６には、ベッドが椅子状に変化した時、座った人の身長差による身体の足の位置を調節するために、足位置高さ調節器４０を垂設していて、ベッドが椅子状に変化するのに伴い、脚下げ作動して足載部４が下降し、垂設されてる調節器４０の脚輪４１が室内の床に着地し、且つ干渉して押し上がり、調節器４０の天板４２が足載部４のマットを下から隆起させるのでマットが踏み台状になるのである。（図３乃至図８参照）【００３０】  その上更に、マット中間部２の一部である尻受部５のマット床面を下降させる場合に、専用の昇降起動部は設けず、他の動きに伴って下降させる構成にしており、ベッドが椅子状に変化する動きに伴って尻受部５が下降できるように中間部２に持ち上げリンク機構１１を設け、そして又尻受部５のマット支持板枠９を、持ち下げリンク機構１２の上に載置する構成にしており、（図３と図９と図１０参照）これによりベッド床面が背上げ作動すると中間部２は尻受部５を残して上昇し、高い位置に去り、同様にベッド床面が脚下げ作動すると尻受部５は今度はリンク機構１２と一緒になって下降するので更に低くなって中間部２のマット支持板枠６より低位置となり、中間部２のマット床面から陥没するのでる。（図１１と図１２参照）【００３１】  その後、陥没した尻受部５は上下の動きを吸収する継手金具６１を介して開口装置６０により、ベッド床面の下方の背受部１側の方向に向けて退避させ、中間部２の一部である尻受部５に相当するマット床面を開口させる構成にするか、（図１２参照）【００３２】  或いは、中間部２の下方に設置している洗浄機能付トイレ５０の昇降作動に伴って尻受部５を昇降させる方法にして、ベッドが通常の状態の時は、トイレ昇降装置５１、５２、にてトイレ５０���途中上昇させた状態で尻受部５のマット支持板枠９を、トイレ５０の上部で下から押し支えさせ、（図１３乃至図１５参照）そして排泄時などに尻受部５を下降させる場合は、トイレ昇降装置５１、５２にてトイレ５０を下降させることにより、押し支えを止め、トイレ５０と共に下降させて中間部２のマット床面より陥没させ、（図１６と図１７参照）【００３３】  それから、開口装置６０に連なっていて尻受部５のマット支持板枠９を下から受け止める移送板６２で受けて後、開口装置６０を作動させて尻受部５を退避させる構成にしても良い。（図１７参照）【００３４】  そして更に前記の通り、中間部２の床面下方には、洗浄機能付トイレ５０とトイレ昇降装置５１、５２を設置しており排泄する時は、中間部２の一部である尻受部５の部分を開口させて後、昇降装置５１、５２でトイレ５０を上昇させ、開口して空洞の生じた中間部２のマット床面に嵌合させるのであるが、単に垂直に上昇させるのではなくて、ガイドレール５３に沿ってトイレ５０を後ろ下方より前上方へ向け移動させながら上昇させて、トイレの前方先端部が中間部２と下腿受部３の接合部近くのマット面より少し上に突き出すようにすることで、トイレ５０の上昇後の位置と中間部２に座った身体の排泄物出口の位置が排泄物をカバーして漏らさない適切な位置関係になるようにしている。（図１８乃至図２１参照）【００３５】  以上の構成にすることでベッド床面の下方の中央に機器が集中して構成が複雑になるのを抑え、余分な動力部も設けずシンプルにできるのである。
【図面の簡単な説明】
【００３６】
【図１】本発明の通常時の斜視図である。
【図２】椅子状に変化した時の斜視図である。
【図３】椅子状に変化する途中の一部切欠した側面図である。
【図４】通常時の一部切欠した側面図である。
【図５】同じく平面図である。
【図６】同じく正面図である。
【図７】図５におけるａ−ａ線の足位置調節機が脚下げにより、室内床面に接して、足載部のマット床面を隆起させた時の拡大断面図である。
【図８】同じくｂ−ｂ線における拡大断面図であり、足載部と足位置調節機の関係を示す図である。
【図９】尻受部の下降方法がリンク機構の構成（図９乃至図１２）による場合で中間部から尻受部が下降する仕組みを示す一部を切欠した拡大側面図である。
【図１０】同じく図９より尻受部の下降が進行した時の拡大側面図である。
【図１１】尻受部が陥没した時の中間部と尻受部の関係を示す一部を切欠した拡大正面図である。
【図１２】椅子状に変化したベッドと陥没して退避する尻受部と尻受部の開口装置との関係を示す、一部を切欠した側面図である。
【図１３】トイレの昇降に伴って尻受部を昇降させる構成（図１３乃至図１７）による場合で、尻受部とトイレの関係を示す。一部を切欠した側面図である。
【図１４】同じく、拡大側面図である。
【図１５】同じく、拡大正面図である。
【図１６】トイレと共に尻受部を下降させた時の中間部と尻受部とトイレの関係を示す、一部を切欠した拡大正面図である。
【図１７】同じく、拡大側面図である。
【図１８】尻受部を下降させる方法がリンク機構の構成（図１８乃至図２０）による場合の退避した尻受部と中間部とトイレの関係を示す一部を切欠した拡大側面図である。
【図１９】同じく、拡大正面図である。
【図２０】トイレとトイレ昇降装置の一部を切欠した拡大平面図である。
【図２１】トイレ昇降に伴って尻受部を昇降させる構成による場合の、退避した尻受部と中間部と上昇したトイレの関係を示す一部を切欠した拡大側面図である。
【符号の説明】
【００３７】        １  背受部
２  中間部
３  下腿受部
４  足載部
５  尻受部
６  マット支持板枠
７  ベッド支持板枠
８  ベッド支持脚
９  尻受部マット支持板枠
１０  尻受部マット支持板枠ガイド
１１  持ち上げリンク機構
１２  持ち下げリンク機構
２０  傾斜したベッド支持脚
２１  ベッド脚下げ起動部
２２  脚下げ起動の伝動装置
３０  背上げ用の押し軸
３１  背上げ起動部
３２  背上げ起動の伝動装置
４０  足位置の高さ調節器
４１  高さ調節器の脚輪
４２  高さ調節器の天板
４３  伸縮材
５０  洗浄機能付トイレ
５１  トイレ昇降起動部
５２  トイレ昇降装置体
５３  トイレ昇降用ガイドレール
６０  尻受部の開口装置
６１  開口装置の継手金具
６２  開口装置の移送板
【図１】
2006212377.tif 000003
【図２】
2006212377.tif 000004
【図３】
2006212377.tif 000005
【図４】
2006212377.tif 000006
【図５】
2006212377.tif 000007
【図６】
2006212377.tif 000008
【図７】
2006212377.tif 000009
【図８】
2006212377.tif 000010
【図９】
2006212377.tif 000011
【図１０】
2006212377.tif 000012
【図１１】
2006212377.tif 000013
【図１２】
2006212377.tif 000014
【図１３】
2006212377.tif 000015
【図１４】
2006212377.tif 000016
【図１５】
2006212377.tif 000017
【図１６】
2006212377.tif 000018
【図１７】
2006212377.tif 000019
【図１８】
2006212377.tif 000020
【図１９】
2006212377.tif 000021
【図２０】
2006212377.tif 000022
【図２１】
2006212377.tif 000023